(57)【要約】【課題】被収容物を充填して開口部を蓋体で閉鎖した密封プラスチック容器において、蓋体に形成された弱化線の部分で切除して開口させる際に、確実に開口することができるようにする。【解決手段】容器本体１１が、一端に開口部１２ａを有する胴部１２と、胴部１２の反開口部側に連設された底部１３と、開口部１２ａの外周縁部に連設された鍔状に突出するフランジ部１５とを有し、被収容物を充填したのち蓋体１６を溶着することにより密封されている。蓋体１６は、容器本体１１のフランジ部１５に溶着される環状の周端部１６ａと、フランジ部１５よりも外方へ段状に膨出する周端部１６ａに囲まれた膨出部１６ｂと、膨出部１６ｂの周端部１６ａの近傍部位に沿って形成された環状の弱化線１８と、膨出部１６ｂの外面における弱化線１８の近傍部位に一体的に設けられた摘み片１７とを有する。【選択図】　　　図５
2004115109.tif 000002
【特許請求の範囲】
【請求項１】
容器本体が、一端に開口部を有するとともに他端に底部を有する胴部と、前記開口部の外周縁部に連設された鍔状に突出するフランジ部を有し、被収容物を充填して前記開口部を蓋体によって閉鎖した密封プラスチック容器において、
前記容器本体および前記蓋体は、内層と外層の間に少くともガスバリア層が介在されたプラスチック積層体から構成されており、
前記蓋体は、前記フランジ部に溶着された周端部と、前記周端部に囲まれた前記フランジ部よりも外方ヘ段状に膨出する膨出部と、前記膨出部における前記周端部の近傍部位に沿って形成された環状の弱化線と、前記膨出部の外面に一体的に設けられた摘み片と、を有することを特徴とする密封プラスチック容器。
【請求項２】
容器本体が、一端に開口部を有するとともに他端に底部を有する胴部と、前記開口部の外周縁部に連設された鍔状に突出するフランジ部を有し、被収容物を充填して前記開口部を蓋体によって閉鎖した密封プラスチック容器において、
前記容器本体および前記蓋体は、内層と外層の間に少くともガスバリア層が介在されたプラスチック積層体から構成されており、
前記蓋体は、前記フランジ部に溶着された周端部と、前記周端部に囲まれた前記フランジ部よりも外方ヘ段状に膨出する膨出部と、前記膨出部における前記周端部の近傍部位に沿って形成された環状の弱化線と、前記膨出部における前記弱化線の近傍部位に一端側が連設された湾曲部および前記湾曲部から前記膨出部の略中央部位へ延在する矩形状部からなる開口用舌片を形成する舌片形成用弱化線と、前記矩形状部の外面に一体的に設けられた摘み片と、を有することを特徴とする密封プラスチック容器。
【請求項３】
容器本体を構成するプラスチック積層体は、乾燥剤を配合した樹脂層が介在されていること、を特徴とする請求項１または２記載の密封プラスチック容器。
【発明の詳細な説明】
【０００１】
【発明の属する技術分野】
本発明は、食品等の被収容物を充填して密封したのち、加熱殺菌処理（レトルト処理）を行う、密封プラスチック容器に関するものである。
【０００２】
【従来の技術】
従来の密封プラスチック容器の一例について説明する。この従来の密封プラスチック容器は、充填された食品を長期保存できるとともに電子レンジにより食品を均一に加熱できるように工夫されたものであって、図１０に示すように、容器本体１０１は、一端に開口部を有するとともに他端に底部１０３が連設された胴部１０２と、胴部１０２の開口部外周縁部から鍔状に突出する鍔状部１０４を有し、ガスバリア性プラスチック層を少くとも一層有するプラスチック積層体から構成されている。
【０００３】
容器本体１０１の開口部を気密に閉塞する蓋体１０５は、前記開口部内に落とし込まれた中央部１０５ａと、鍔状部１０４に嵌合するフランジ部１０５ｂと、中央部１０５ａの外周縁に沿って形成された弱化線１０７とを有し、プラスチックからなる外層と内層との間にガスバリア性を有する金属箔層が介在された積層体から構成されている（特許第２９６８５７２号公報参照）。
【０００４】
【発明が解決しようとする課題】
上記従来の技術では、蓋体には容器本体の開口部に落とし込まれた中央部が設けられており、この中央部とフランジ部との境界部である立上り部は容器本体に溶着されていない。このため、摘み片を摘んで引張り力を作用させて弱線部の部分で中央部を切除して開口させる際に、容器本体に溶着されていない前記立上り部が反底部側へ折れ曲がり、確実に開口することができないばかりでなく、この折れ曲がった立上り部が容器本体の開口部内周面に残存してしまい、収容物の取り出し等を円滑に行うことができないという未解決の課題がある。
【０００５】
本発明は、上記従来の技術の有する未解決の課題に鑑みてなされたものであって、被収容物を充填して開口部を蓋体によって閉鎖した密封プラスチック容器において、蓋体に形成された弱化線の部分で切除して開口させる際に、確実に開口することができる密封プラスチック容器を提供することを目的とするものである。
【０００６】
また、本発明の他の目的は、加熱殺菌処理中に水分が外層を透過してガスバリア層のバリア性が低下するおそれのない密封プラスチック容器を提供することである。
【０００７】
【課題を解決するための手段】
上記目的を達成するため、本発明の密封プラスチック容器は、容器本体が、一端に開口部を有するとともに他端に底部を有する胴部と、前記開口部の外周縁部に連設された鍔状に突出するフランジ部を有し、被収容物を充填して前記開口部を蓋体によって閉鎖した密封プラスチック容器において、前記容器本体および前記蓋体は、内層と外層の間に少くともガスバリア層が介在されたプラスチック積層体から構成されており、前記蓋体は、前記フランジ部に溶着された周端部と、前記周端部に囲まれた前記フランジ部よりも外方ヘ段状に膨出する膨出部と、前記膨出部における前記周端部の近傍部位に沿って形成された環状の弱化線と、前記膨出部の外面に一体的に設けられた摘み片と、を有することを特徴とするものである。
【０００８】
また、容器本体が、一端に開口部を有するとともに他端に底部を有する胴部と、前記開口部の外周縁部に連設された鍔状に突出するフランジ部を有し、被収容物を充填して前記開口部を蓋体によって閉鎖した密封プラスチック容器において、前記容器本体および前記蓋体は、内層と外層の間に少くともガスバリア層が介在されたプラスチック積層体から構成されており、前記蓋体は、前記フランジ部に溶着された周端部と、前記周端部に囲まれた前記フランジ部よりも外方ヘ段状に膨出する膨出部と、前記膨出部における前記周端部の近傍部位に沿って形成された環状の弱化線と、前記膨出部における前記弱化線の近傍部位に一端側が連設された湾曲部および前記湾曲部から前記膨出部の略中央部位へ延在する矩形状部からなる開口用舌片を形成する舌片形成用弱化線と、前記矩形状部の外面に一体的に設けられた摘み片と、を有することを特徴とするものとする。
【０００９】
さらに、容器本体を構成するプラスチック積層体は、乾燥剤を配合した樹脂層が介在されたものとする。
【００１０】
【発明の実施の形態】
本発明の密封プラスチック容器の実施の形態を図面に基いて説明する。
【００１１】
図１は一実施の形態による密封プラスチック容器を示す正面図、図２は図１に示すプラスチック容器の平面図、図３は図２のＡ−Ａ線に沿う断面図である。
【００１２】
図１〜図３に示すように、本実施の形態による密封プラスチック容器は、容器本体１が、一端に開口部２ａを有する胴部２と、胴部２の反開口部側に連設された底部３と、開口部２ａの外周縁部に連設された鍔状に突出するフランジ部５とを有し、被収容物を充填したのち、蓋体６をフランジ部５の反底部側面に溶着することにより密封されている。
【００１３】
なお、本実施の形態において、胴部２には内側へ環状に突出する一対の凹状リブ４が互いに隣接して設けられているとともに、底部３には胴部２との連設部に続く周辺部に反胴部側へ突出する環状膨出部３ａが設けられている。
【００１４】
蓋体６は、容器本体１のフランジ部５に溶着される環状の周端部６ａと、フランジ部５よりも外方へ段状に膨出する周端部６ａに囲まれた膨出部６ｂと、膨出部６ｂにおける周端部６ａの近傍部位に沿って形成された環状の弱化線８ａと、膨出部６ｂにおける弱化線８ａの近傍部位に一端側が連設された湾曲部９ａおよび湾曲部９ａから膨出部６ｂの略中央部位へ延在する矩形状部９ｂからなる開口用舌片９を形成する舌片形成用弱化線８ｂと、矩形状部９ｂの外面に一体的に設けられた摘み片７とを有している。
【００１５】
本実施の形態による密封プラスチック容器は、食品等の被収容物を容器本体１に充填したのち、胴部２のフランジ部５に蓋体６の周端部６ａを溶着して開口部２ａを閉鎖する。ついで、この密封プラスチック容器を加熱殺菌処理するが、本実施の形態のように胴部２に凹状リブ４を設けておくと、加熱殺菌処理に伴って内圧が増大すると凹状リブ４が胴部２の軸方向へ伸びて容器本体１の容積が増大する。その結果、容器本体が破損したり、蓋部材が不用意に開口することがない。
【００１６】
また、密封プラスチック容器から被収容物を取り出す際には、摘み片７を摘んで引張り力を作用させると、舌片形成用弱化線８ｂの部分のうち、開口用舌片９の矩形状部９ｂを形成する部分が切断されたのち、湾曲部９ａを形成する部分が切断されて開口用舌片９が立ち上がり、続いて開口用舌片９を介して膨出部６ｂに引張り力がかかり、環状の弱化線８ａの部分が周方向に沿って順次切断されて行き、膨出部６ｂを周端部６ａから完全に切除して確実に開口させることができる。
【００１７】
さらに、図９に示すように、密封プラスチック容器を積み重ねた際に、上側の底部３の環状膨出部３ａが下側の蓋体６の上面に当接して空隙部Ｓが生じ、該空隙部Ｓに横倒れになった摘み片７が収納された状態になるため、安定した積み重ねが可能になる。
【００１８】
次に、他の実施の形態による密封プラスチック容器について説明する。
【００１９】
図４は他の実施の形態による密封プラスチック容器の平面図、図５は図４のＡ−Ａ線に沿う断面図である。
【００２０】
図４および図５に示すように、本実施の形態による密封プラスチック容器は、容器本体１１が一端に開口部１２ａを有する胴部１２と、胴部１２の反開口部側に連設された底部１３と、開口部１２ａの外周縁部に連設された鍔状に突出するフランジ部１５とを有し、被収容物を充填したのち、蓋体１６をフランジ部１５の反底部側面に溶着することにより閉鎖されている。
【００２１】
蓋体１６は、容器本体１１のフランジ部１５に溶着される環状の周端部１６ａと、フランジ部１５よりも外方へ段状に膨出する周端部１６ａに囲まれた膨出部１６ｂと、膨出部１６ｂにおける周端部１６ａの近傍部位に沿って形成された環状の弱化線１８と、膨出部１６ｂの外面における弱化線１８の近傍部位に一体的に設けられた摘み片１７とを有する。
【００２２】
なお、本実施の形態において、摘み片１７は、膨出部１６ｂの外面に一体的に設けられた連結部１７ａおよび連結部１７ａに連設された環状部１７ｂを有し、この環状部１７ｂが蓋体１６の膨出部１６ｂの外面と略平行に中央部側へ向かって延在するように構成されている。
【００２３】
本実施の形態による密封プラスチック容器は、密封プラスチック容器から被収容物を取り出す際には、摘み片１７を摘んで引張り力を作用させると、摘み片１７が連設された部位の近傍の弱化線１８が最初に切断され立ち上がり、続いて弱化線１８の残りの部分が周方向両側へ沿って順次切断されて行き、膨出部１６ｂを周端部１６ａから完全に切除して確実に開口させることができる。これ以外の作用・効果は、上述した一実施の形態による密封プラスチック容器と同様であるので説明は省略する。
【００２４】
続いて、本発明における容器本体および蓋体を構成するプラスチック積層体について説明する。
【００２５】
図６は、容器本体に用いるプラスチック積層体の一例を示す模式部分断面図である。本例では、内層２１と外層２２の間に、内層２１側から順次、接着層２４ａ、ガスバリア層２３、接着層２４ｂ、乾燥剤が配合された樹脂層２５が介在されている。
【００２６】
図７は、蓋体に用いるプラスチック積層体の一例を示す模式部分断面図である。本例では、内層３１と外層３２の間に、内層３１側から順次、ガスバリア性を有する樹脂やアルミ箔等からなるガスバリア層３３、接着層３４が介在されている。
【００２７】
図８は、容器本体に用いるプラスチック積層体の他の例を示す模式部分断面図である。本例では、内層４１と外層４２の間に、内層４１側から順次、乾燥剤が配合された樹脂層４５ａ、ガスバリア層４３、乾燥剤が配合された樹脂層４５ｂが介在されている。
【００２８】
本発明において、内層および外層としては、加熱殺菌処理中における加熱温度に耐える耐熱性を有するとともに成形性にも優れたポリオレフィン系樹脂を用いる。
【００２９】
ガスバリア層に用いる樹脂としては、ポリエチレンテレフタレート等のポリエステル、結晶性ポリアミドや非晶性ポリアミド、エチレン−ビニルアルコール共重合体、ポリ塩化ビニル、ポリ塩化ビニリデン等が好適であり、特にエチレン−ビニルアルコール共重合体が好適である。
【００３０】
接着層としては、無水マレイン酸、アクリル酸、メタクリル酸、無水イタコン酸等のエチレン系不飽和カルボン酸またはその無水物でグラフト変性された、ポリエチレン、ポリプロピレン、エチレン・α−オレフィン共重合体等が好適である。
【００３１】
乾燥剤が配合された樹脂層に用いる樹脂は、特に制限されるものではないが、高密度ポリエチレン、中密度ポリエチレン、低密度ポリエチレン、ポリプロピレン、プロピレン−エチレン共重合体等のポリオレフィン系樹脂、ポリスチレン、ポリ塩化ビニル、ポリビニルアルコール等が好適である。
【００３２】
乾燥剤としては、熱可塑性樹脂への分散性が良好なものが好適であり、成形性を阻害しないものであることが必要である。
【００３３】
例えば、シリカゲル、塩化カルシウム、塩化ナトリウム、塩化マグネシウム、第二燐酸ナトリウム、塩化アンモニウム、スクロース、炭酸カリウム、カリウムミョウバン、硝酸ナトリウム、硝酸アンモニウム、第一硝酸アンモニウム、臭化カリウム、生石灰、ゼオライト、化学式ＭｇＳＯ４　・ｎＨ２　Ｏ（ただし０≦ｎ≦３）で示される硫酸マグネシウム、酸化アルミニウム、酸化バリウム、酸化カルシウム、酸化ケイ素などを用いる。特に、硫酸マグネシウムは、熱可塑性樹脂への分散性が良好で、成形性・加工性がよい。
【００３４】
【発明の効果】
本発明は上述のとおり構成されているので、次に記載するような効果を奏する。
【００３５】
密封プラスチック容器から被収容物を取り出す際には、摘み片を摘んで引張り力を作用させると、蓋体の膨出部における周端部の近傍部位に沿って形成された弱化線が周方向に沿って順次切断されて行き、膨出部を周端部から完全に切除して確実に開口させることができる。
【図面の簡単な説明】
【図１】一実施の形態による密封プラスチック容器の正面図である。
【図２】図１に示す密封プラスチック容器の平面図である。
【図３】図２のＡ−Ａ線に沿う断面図である。
【図４】他の実施の形態による密封プラスチック容器の平面図である。
【図５】図４のＡ−Ａ線に沿う断面図である。
【図６】本発明に係る密封プラスチック容器における容器本体を構成するプラスチック積層体の一例を示す模式部分断面図である。
【図７】本発明に係る密封プラスチック容器における蓋体を構成するプラスチック積層体の一例を示す模式部分断面図である。
【図８】本発明に係る密封プラスチック容器における容器本体を構成するプラスチック積層体の他の例を示す模式部分断面図である。
【図９】図１に示す密封プラスチック容器を積み合わせた形態で示す断面図である。
【図１０】従来の密封プラスチック容器の一例の断面図である。
【符号の説明】
１、１１　　容器本体
２、１２　　胴部
２ａ、１２ａ　　開口部
３、１３　　底部
３ａ、１３ａ　　環状膨出部
４、１４　　凹状リブ
５、１５　　フランジ部
６、１６　　蓋体
６ａ、１６ａ　　周端部
６ｂ、１６ｂ　　膨出部
７、１７　　摘み片
８ａ、１８　　弱化線
８ｂ　　舌片形成用弱化線
９　　開口用舌片
２１、３１、４１　　内層
２２、３２、４２　　外層
２３、３３、４３　　ガスバリア層
２４ａ、２４ｂ、３４　　接着層
２５、４５ａ、４５ｂ　　乾燥剤が配合された樹脂層
【図１】
2004115109.tif 000003
【図２】
2004115109.tif 000004
【図３】
2004115109.tif 000005
【図４】
2004115109.tif 000006
【図５】
2004115109.tif 000007
【図６】
2004115109.tif 000008
【図７】
2004115109.tif 000009
【図８】
2004115109.tif 000010
【図９】
2004115109.tif 000011
【図１０】
2004115109.tif 000012